(57)【特許請求の範囲】
【請求項１】
指定ピクチャを表示する旨の指令が受信されると、前記指定ピクチャを取得するステップと、
前記指定ピクチャを表示する表示機器の種別を特定するステップと、
前記指定ピクチャを表示する表示機器がＶＡ型パネルであるかどうかを判断するステップと、
前記指定ピクチャを表示する表示機器がＶＡ型パネルであるとき、前記指定ピクチャにおける少なくとも３つの単色領域からなる画像領域を特定するステップをトリガするステップと、
前記指定ピクチャを表示する表示機器がＶＡ型パネルでないとき、前記表示機器を利用して前記指定ピクチャを表示するステップと、
前記画像領域における隣接する単色領域の色値の差が閾値よりも小さいとき、所定の条件に基づいて前記画像領域における単色領域の色値を利用して目標色値を特定するステップと、
前記指定ピクチャにおける前記画像領域の色値を前記目標色値に変換して目標ピクチャを生成するステップと、
前記目標ピクチャを表示するステップと、を含み、
前記所定の条件に基づいて前記画像領域における単色領域の色値を利用して目標色値を特定するステップは、
前記画像領域における各単色領域の色値の平均値を算出するステップと、
前記平均値を目標色値として特定するステップと、を含むことを特徴とするピクチャ表示方法。
【請求項２】
指定ピクチャを表示する旨の指令が受信されると、前記指定ピクチャを取得するステップと、
前記指定ピクチャを表示する表示機器の種別を特定するステップと、
前記指定ピクチャを表示する表示機器がＶＡ型パネルであるかどうかを判断するステップと、
前記指定ピクチャを表示する表示機器がＶＡ型パネルであるとき、前記指定ピクチャにおける少なくとも３つの単色領域からなる画像領域を特定するステップをトリガするステップと、
前記指定ピクチャを表示する表示機器がＶＡ型パネルでないとき、前記表示機器を利用して前記指定ピクチャを表示するステップと、
前記画像領域における隣接する単色領域の色値の差が閾値よりも小さいとき、所定の条件に基づいて前記画像領域における単色領域の色値を利用して目標色値を特定するステップと、
前記指定ピクチャにおける前記画像領域の色値を前記目標色値に変換して目標ピクチャを生成するステップと、
前記目標ピクチャを表示するステップと、を含み、
前記所定の条件に基づいて前記画像領域における単色領域の色値を利用して目標色値を特定するステップは、
前記画像領域における最大色値および最小色値を取得するステップと、
前記画像領域における前記最大色値と前記最小色値との差分を算出して第１の色値を取得するステップと、
前記第１の色値と所定の係数との積を算出して第２の色値を取得するステップと、
前記最小色値と前記第２の色値との和を算出して目標色値を取得するステップと、を含むことを特徴とするピクチャ表示方法。
【請求項３】
前記目標ピクチャを記憶するステップと、
前記指定ピクチャと前記目標ピクチャとの対応関係を確立するステップと、
前記指定ピクチャを表示する旨の指令が受信されると、前記指定ピクチャと前記目標ピクチャとの対応関係を利用して前記指定ピクチャに対応する前記目標ピクチャを特定するステップと、
前記目標ピクチャを表示するステップと、をさらに含むことを特徴とする請求項１または２に記載のピクチャ表示方法。
【請求項４】
前記目標ピクチャを記憶するステップと、
前記指定ピクチャと前記目標ピクチャとの対応関係を確立するステップと、
前記指定ピクチャを削除する旨の指令が受信されると、前記指定ピクチャと前記目標ピクチャとの対応関係を利用して前記指定ピクチャに対応する前記目標ピクチャを特定するステップと、
前記指定ピクチャおよび前記目標ピクチャを削除するステップと、をさらに含むことを特徴とする請求項１または２に記載のピクチャ表示方法。
【請求項５】
指定ピクチャを表示する旨の指令が受信されると、前記指定ピクチャを取得するための取得モジュールと、
前記指定ピクチャにおける少なくとも３つの隣接する単色領域からなる画像領域を特定するための第１の特定モジュールと、
前記画像領域における隣接する単色領域の色値の差が閾値よりも小さいとき、所定の条件に基づいて前記画像領域における単色領域の色値を利用して目標色値を特定するための第２の特定モジュールと、
前記指定ピクチャにおける前記画像領域の色値を前記目標色値に変換して目標ピクチャを生成するための変換モジュールと、
前記目標ピクチャを表示するための第１の表示モジュールと、
前記指定ピクチャを表示する表示機器の種別を特定するための第５の特定モジュールと、
前記指定ピクチャを表示する表示機器がＶＡ型パネルであるかどうかを判断するための判断モジュールと、
前記指定ピクチャを表示する表示機器がＶＡ型パネルであるとき、前記第１の特定モジュールをトリガするためのトリガモジュールと、
前記指定ピクチャを表示する表示機器がＶＡ型パネルでないとき、前記表示機器を利用して前記指定ピクチャを表示するための第３の表示モジュールとを備え、
前記第２の特定モジュールは、
前記画像領域における各単色領域の色値の平均値を算出するための第１の算出サブモジュールと、
前記平均値を目標色値として特定するための特定サブモジュールと、を備えることを特徴とするピクチャ表示装置。
【請求項６】
指定ピクチャを表示する旨の指令が受信されると、前記指定ピクチャを取得するための取得モジュールと、
前記指定ピクチャにおける少なくとも３つの隣接する単色領域からなる画像領域を特定するための第１の特定モジュールと、
前記画像領域における隣接する単色領域の色値の差が閾値よりも小さいとき、所定の条件に基づいて前記画像領域における単色領域の色値を利用して目標色値を特定するための第２の特定モジュールと、
前記指定ピクチャにおける前記画像領域の色値を前記目標色値に変換して目標ピクチャを生成するための変換モジュールと、
前記目標ピクチャを表示するための第１の表示モジュールと、
前記指定ピクチャを表示する表示機器の種別を特定するための第５の特定モジュールと、
前記指定ピクチャを表示する表示機器がＶＡ型パネルであるかどうかを判断するための判断モジュールと、
前記指定ピクチャを表示する表示機器がＶＡ型パネルであるとき、前記第１の特定モジュールをトリガするためのトリガモジュールと、
前記指定ピクチャを表示する表示機器がＶＡ型パネルでないとき、前記表示機器を利用して前記指定ピクチャを表示するための第３の表示モジュールとを備え、
前記第２の特定モジュールは、
前記画像領域における最大色値および最小色値を取得するための取得サブモジュールと、
前記画像領域における前記最大色値と前記最小色値との差分を算出して第１の色値を取得するための第２の算出サブモジュールと、
前記第１の色値と所定の係数との積を算出して第２の色値を取得するための第３の算出サブモジュールと、
前記最小色値と前記第２の色値との和を算出して目標色値を取得するための第４の算出サブモジュールと、を備えることを特徴とするピクチャ表示装置。
【請求項７】
前記目標ピクチャを記憶するための第１の記憶モジュールと、
前記指定ピクチャと前記目標ピクチャとの対応関係を確立するための第１の確立モジュールと、
前記指定ピクチャを表示する旨の指令が受信されると、前記指定ピクチャと前記目標ピクチャとの対応関係を利用して前記指定ピクチャに対応する前記目標ピクチャを特定するための第３の特定モジュールと、
前記目標ピクチャを表示するための第２の表示モジュールと、をさらに備えることを特徴とする請求項５または６に記載のピクチャ表示装置。
【請求項８】
前記目標ピクチャを記憶するための第２の記憶モジュールと、
前記指定ピクチャと前記目標ピクチャとの対応関係を確立するための第２の確立モジュールと、
前記指定ピクチャを削除する旨の指令が受信されると、前記指定ピクチャと前記目標ピクチャとの対応関係を利用して前記指定ピクチャに対応する前記目標ピクチャを特定するための第４の特定モジュールと、
前記指定ピクチャおよび前記目標ピクチャを削除するための削除モジュールと、をさらに備えることを特徴とする請求項５または６に記載のピクチャ表示装置。
【請求項９】
プロセッサと、
プロセッサの実行可能な指令を記憶するためのメモリとを備え、
前記プロセッサは、
指定ピクチャを表示する旨の指令が受信されると、前記指定ピクチャを取得し、
前記指定ピクチャを表示する表示機器の種別を特定し、
前記指定ピクチャを表示する表示機器がＶＡ型パネルであるかどうかを判断すし、
前記指定ピクチャを表示する表示機器がＶＡ型パネルであるとき、指定ピクチャにおける少なくとも３つの単色領域からなる画像領域を特定するステップをトリガし、
前記指定ピクチャを表示する表示機器がＶＡ型パネルでないとき、前記表示機器を利用して前記指定ピクチャを表示し、
前記画像領域における隣接する単色領域の色値の差が閾値よりも小さいとき、所定の条件に基づいて前記画像領域における単色領域の色値を利用して目標色値を特定し、
前記指定ピクチャにおける前記画像領域の色値を前記目標色値に変換して目標ピクチャを生成し、
前記目標ピクチャを表示し、
前記所定の条件に基づいて前記画像領域における単色領域の色値を利用して目標色値を特定することは、
前記画像領域における各単色領域の色値の平均値を算出することと、
前記平均値を目標色値として特定することと、を含むように構成されることを特徴とするピクチャ表示装置。
【請求項１０】
プロセッサと、
プロセッサの実行可能な指令を記憶するためのメモリとを備え、
前記プロセッサは、
指定ピクチャを表示する旨の指令が受信されると、前記指定ピクチャを取得し、
前記指定ピクチャを表示する表示機器の種別を特定し、
前記指定ピクチャを表示する表示機器がＶＡ型パネルであるかどうかを判断すし、
前記指定ピクチャを表示する表示機器がＶＡ型パネルであるとき、指定ピクチャにおける少なくとも３つの単色領域からなる画像領域を特定するステップをトリガし、
前記指定ピクチャを表示する表示機器がＶＡ型パネルでないとき、前記表示機器を利用して前記指定ピクチャを表示し、
前記画像領域における隣接する単色領域の色値の差が閾値よりも小さいとき、所定の条件に基づいて前記画像領域における単色領域の色値を利用して目標色値を特定し、
前記指定ピクチャにおける前記画像領域の色値を前記目標色値に変換して目標ピクチャを生成し、
前記目標ピクチャを表示し、
前記所定の条件に基づいて前記画像領域における単色領域の色値を利用して目標色値を特定することは、
前記画像領域における最大色値および最小色値を取得することと、
前記画像領域における前記最大色値と前記最小色値との差分を算出して第１の色値を取得することと、
前記第１の色値と所定の係数との積を算出して第２の色値を取得することと、
前記最小色値と前記第２の色値との和を算出して目標色値を取得することと、を含むように構成されることを特徴とするピクチャ表示装置。
【発明の詳細な説明】
【技術分野】
【０００１】
本発明は、通信技術分野に関し、具体的にピクチャ表示方法および装置に関する。
【背景技術】
【０００２】
液晶パネルは、表示技術によって、ハードスクリーンとソフトスクリーンに分けられる。ソフトスクリーンとは、主にＶＡ型パネルを指す。ソフトスクリーンの特徴は、、ソフトスクリーンに軽くタッチするとき、ソフトスクリーンに水の波紋と似ている効果が現れることにある。
【０００３】
ソフトスクリーンには表示性能の高くないものがあるため、ソフトスクリーンを利用してピクチャを表示する際、ピクチャにおける近い色を同一の色として表示する可能性があり、ピクチャにおける近い色の領域が色移行の部分を失い、ピクチャにおける色の近い部分が唐突に見える。例えば、ピクチャＡにおけるある領域を赤色領域Ｂとすれば、当該赤色領域Ｂは、左から右にかけて、淡赤色から深赤色へ徐々に変化し、且つ赤色領域Ｂのカラーグラデーションがスムーズである。しかし、性能の高くないソフトスクリーンが存在するため、このようなソフトスクリーンがピクチャＡの赤色領域Ｂを表示する際に、色のジャンプが現れる。即ち、このようなソフトスクリーンは、ピクチャＡにおけるもともとカラーグラデーションがスムーズである赤色領域Ｂを、色のジャンプが著しい赤色領域Ｂとして表示してしまう。
【０００４】
したがって、上記関連技術では、性能の高くないソフトスクリーンが近い色の画面を同じ色の画面として表示し、色のジャンプが著しい状況が現れるため、画面が唐突に見える。
【発明の概要】
【発明が解決しようとする課題】
【０００５】
関連技術に存在する問題を克服すべく、本発明は、性能の高くないソフトスクリーンがピクチャにおける近い色の領域を表示する際に、色のジャンプが現れないようなピクチャ表示方法および装置を提供する。
【課題を解決するための手段】
【０００６】
本発明の実施例の第１の態様によれば、ピクチャ表示方法を提供する。前記ピクチャ表示方法は、
指定ピクチャを表示する旨の指令が受信されると、前記指定ピクチャを取得するステップと、
前記指定ピクチャにおける少なくとも３つの隣接する単色領域からなる画像領域を特定するステップと、
前記画像領域における隣接する単色領域の色値の差が閾値よりも小さいとき、所定の条件に基づいて前記画像領域における単色領域の色値を利用して目標色値を特定するステップと、
前記指定ピクチャにおける前記画像領域の色値を前記目標色値に変換して目標ピクチャを生成するステップと、
前記目標ピクチャを表示するステップと、を含む。
【０００７】
好ましくは、前記方法は、さらに、
前記目標ピクチャを記憶するステップと、
前記指定ピクチャと前記目標ピクチャとの対応関係を確立するステップと、
前記指定ピクチャを表示する旨の指令が受信されると、前記指定ピクチャと前記目標ピクチャとの対応関係を利用して前記指定ピクチャに対応する前記目標ピクチャを特定するステップと、
前記目標ピクチャを表示するステップと、を含む。
【０００８】
好ましくは、前記方法は、さらに、
前記目標ピクチャを記憶するステップと、
前記指定ピクチャと前記目標ピクチャとの対応関係を確立するステップと、
前記指定ピクチャを削除する旨の指令が受信されると、前記指定ピクチャと前記目標ピクチャとの対応関係を利用して前記指定ピクチャに対応する前記目標ピクチャを特定するステップと、
前記指定ピクチャおよび前記目標ピクチャを削除するステップと、含む。
【０００９】
好ましくは、前記指定ピクチャを取得するステップの後で、前記方法は、さらに、
前記指定ピクチャを表示する表示機器の種別を特定するステップと、
前記指定ピクチャを表示する表示機器がソフトスクリーンであるかどうかを判断するステップと、
前記指定ピクチャを表示する表示機器がソフトスクリーンであるとき、前記指定ピクチャにおける少なくとも３つの単色領域からなる画像領域を特定するステップをトリガするステップと、
前記指定ピクチャを表示する表示機器がソフトスクリーンでないとき、前記表示機器を利用して前記指定ピクチャを表示するステップと、を含む。
【００１０】
好ましくは、前記所定の条件に基づいて前記画像領域における単色領域の色値を利用して目標色値を特定するステップは、
前記画像領域における各単色領域の色値の平均値を算出するステップと、
前記平均値を目標色値として特定するステップと、を含む。
【００１１】
好ましくは、前記所定の条件に基づいて前記画像領域における単色領域の色値を利用して目標色値を特定するステップは、
前記画像領域における最大色値および最小色値を取得するステップと、
前記画像領域における前記最大色値と前記最小色値との差分を算出して第１の色値を取得するステップと、
前記第１の色値と所定の係数との積を算出して第２の色値を取得するステップと、
前記最小色値と前記第２の色値との和を算出して目標色値を取得するステップと、を含む。
【００１２】
本発明の実施例の第２の態様によれば、ピクチャ表示装置を提供する。前記ピクチャ表示装置は、
指定ピクチャを表示する旨の指令が受信されると、前記指定ピクチャを取得するための取得モジュールと、
前記指定ピクチャにおける少なくとも３つの隣接する単色領域からなる画像領域を特定するための第１の特定モジュールと、
前記画像領域における隣接する単色領域の色値の差が閾値よりも小さいとき、所定の条件に基づいて前記画像領域における単色領域の色値を利用して目標色値を特定するための第２の特定モジュールと、
前記指定ピクチャにおける前記画像領域の色値を前記目標色値に変換して目標ピクチャを生成するための変換モジュールと、
前記目標ピクチャを表示するための第１の表示モジュールと、を備える。
【００１３】
好ましくは、前記装置は、さらに、
前記目標ピクチャを記憶するための第１の記憶モジュールと、
前記指定ピクチャと前記目標ピクチャとの対応関係を確立するための第１の確立モジュールと、
前記指定ピクチャを表示する旨の指令が受信されると、前記指定ピクチャと前記目標ピクチャとの対応関係を利用して前記指定ピクチャに対応する前記目標ピクチャを特定するための第３の特定モジュールと、
前記目標ピクチャを表示するための第２の表示モジュールと、を備える。
【００１４】
好ましくは、前記装置は、さらに、
前記目標ピクチャを記憶するための第２の記憶モジュールと、
前記指定ピクチャと前記目標ピクチャとの対応関係を確立するための第２の確立モジュールと、
前記指定ピクチャを削除する旨の指令が受信されると、前記指定ピクチャと前記目標ピクチャとの対応関係を利用して前記指定ピクチャに対応する前記目標ピクチャを特定するための第４の特定モジュールと、
前記指定ピクチャおよび前記目標ピクチャを削除するための削除モジュールと、を備える。
【００１５】
好ましくは、前記装置は、さらに、
前記指定ピクチャを表示する表示機器の種別を特定するための第５の特定モジュールと、
前記指定ピクチャを表示する表示機器がソフトスクリーンであるかどうかを判断するための判断モジュールと、
前記指定ピクチャを表示する表示機器がソフトスクリーンであるとき、前記第１の特定モジュールをトリガするためのトリガモジュールと、
前記指定ピクチャを表示する表示機器がソフトスクリーンでないとき、前記表示機器を利用して前記指定ピクチャを表示するための第３の表示モジュールと、を備える。
【００１６】
好ましくは、前記第２の特定モジュールは、
前記画像領域における各単色領域の色値の平均値を算出するための第１の算出サブモジュールと、
前記平均値を目標色値として特定するための特定サブモジュールと、を備える。
【００１７】
好ましくは、前記第２の特定モジュールは、
前記画像領域における最大色値および最小色値を取得するための取得サブモジュールと、
前記画像領域における前記最大色値と前記最小色値との差分を算出して第１の色値を取得するための第２の算出サブモジュールと、
前記第１の色値と所定の係数との積を算出して第２の色値を取得するための第３の算出サブモジュールと、
前記最小色値と前記第２の色値との和を算出して目標色値を取得するための第４の算出サブモジュールと、を備える。
【００１８】
本発明の実施例の第３の態様によれば、ピクチャ表示装置を提供する。前記ピクチャ表示装置は、
プロセッサと、
プロセッサの実行可能な指令を記憶するためのメモリとを備え、
前記プロセッサは、
指定ピクチャを表示する旨の指令が受信されると、前記指定ピクチャを取得し、
前記指定ピクチャにおける少なくとも３つの隣接する単色領域からなる画像領域を特定し、
前記画像領域における隣接する単色領域の色値の差が閾値よりも小さいとき、所定の条件に基づいて前記画像領域における単色領域の色値を利用して目標色値を特定し、
前記指定ピクチャにおける前記画像領域の色値を前記目標色値に変換して目標ピクチャを生成し、
前記目標ピクチャを表示するように構成される。
【発明の効果】
【００１９】
本発明の実施例による技術案は、以下の格別な作用効果を含むことができる。本発明による技術案では、指定ピクチャを表示する前に、指定ピクチャにおける少なくとも３つの単色領域からなる画像領域を先に特定する必要があり、画像領域における隣接する単色領域の色値の差が閾値よりも小さいと特定されたとき、画像領域における隣接する単色領域の色が近いを意味し、性能の高くないソフトスクリーンが指定ピクチャにおける画像領域の各単色領域を表示する際に現れる色のジャンプを回避するために、所定の条件に基づいて画像領域における各単色領域の色値を利用して目標色値を特定し、当該画像領域の色値が目標色値である目標ピクチャを生成し、当該目標ピクチャを表示することで、目標ピクチャを表示する際に色のジャンプが現われないようにする。
【００２０】
上述した一般的な記述及び後続する詳細な記述は、単に例示的及び解釈的なものであり、本発明を制限できるものでないと理解されるべきである。
【図面の簡単な説明】
【００２１】
ここでの図面は、明細書を構成する一部として見なされ、本発明に適した実施例を示し、かつ、明細書の文字記載とともに本発明の仕組みを解釈するために用いられる。
【図１】一実施例によるピクチャ表示方法を示すフローチャートである。
【図２】一実施例による別のピクチャ表示方法を示すフローチャートである。
【図３】一実施例によるさらに別のピクチャ表示方法を示すフローチャートである。
【図４】一実施例によるさらに別のピクチャ表示方法を示すフローチャートである。
【図５】一実施例によるピクチャ表示装置を示す模式図である。
【図６】一実施例による別のピクチャ表示装置を示す模式図である。
【図７】一実施例によるさらに別のピクチャ表示装置を示す模式図である。
【図８】一実施例によるさらに別のピクチャ表示装置を示す模式図である。
【図９】一実施例によるさらに別のピクチャ表示装置を示す模式図である。
【図１０】一実施例によるさらに別のピクチャ表示装置を示す模式図である。
【図１１】一実施例によるピクチャ表示装置を示すブロック図である。
【発明を実施するための形態】
【００２２】
次に、実施例を詳細に説明し、例示が図に示されている。以下の記述が図に係る場合、別途にて説明がない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置及び方法の例に過ぎない。
【００２３】
図１は、一実施例によるピクチャ表示方法を示すフローチャートであり、図１に示すように、図１に示すピクチャ表示方法は、スマートデバイスに適用可能である。本発明が提供するピクチャ表示方法は、性能の高くないソフトスクリーンがピクチャにおける近い色の領域を表示する際に、色のジャンプが現われないようにすることができる。当該方法は、以下のステップを含む。
【００２４】
ステップＳ１１では、指定ピクチャを表示する旨の指令が受信されると、指定ピクチャを取得する。
【００２５】
その中、本発明が提供する方法は、スマートデバイスに適用可能であり、スマートデバイスは、スマートテレビ、スマートフォン、タブレットＰＣまたはスマート時計などの表示スクリーンを有する機器であってもよい。
【００２６】
ユーザがスマートデバイスに記憶された指定ピクチャを見たいとき、指定ピクチャを表示する旨の指令をスマートデバイスへ入力する必要はある。スマートデバイスは、指定ピクチャを表示する旨の指令を受信すると、予め記憶された指定ピクチャをハードディスクから読み取る。
【００２７】
ステップＳ１２では、指定ピクチャにおける少なくとも３つの隣接する単色領域からなる画像領域を特定する。
【００２８】
ただし、単色領域は、同じ色値である隣接する複数の画素点からなる領域であり、色値は、ＲＧＢカラーモードで表されてもよい。例えば、単色領域が２行３列の画素点からなり、且つ、２行３列における６つの画素点がいずれも真っ赤であり、これら６つの画素点の色値は、ＲＧＢ（２５５,０,０）とする。
【００２９】
画像領域は、少なくとも３つの単色領域からなる領域である。例えば、画像領域Ａが４つの隣接する単色領域を含み、第１の単色領域が２行３列の画素点からなり、且つ、２行３列における６つの画素点が何れも真っ赤であり、これら６つの画素点の色値は、ＲＧＢ（２５５,０,０）とする。第２の単色領域が２行２列の画素点からなり、且つ、２行２列における４つの画素点がいずれも赤色であり、これら４つの画素点の色値は、ＲＧＢ（２４０,０,０）とする。第３の単色領域が２行２列の画素点からなり、且つ２行２列における４つの画素点が何れも赤色であり、これら４つの画素点の色値は、ＲＧＢ（２３０,０,０）とする。第４の単色領域が２行３列の画素点からなり、且つ２行３列における６つの画素点がいずれも赤色であり、これら６つの画素点の色値は、ＲＧＢ（２２０,０,０）とする。したがって、画像領域Ａは、上記４つの隣接する単色領域からなり、且つ、画像領域Ａは、２０個の画素点を含む。
【００３０】
スマートデバイスは、指定ピクチャを取得した後で、指定ピクチャにおける少なくとも３つの隣接する単色領域からなる画像領域を多数特定することができる。スマートデバイスは、少なくとも３つの隣接する単色領域からなる画像領域を特定した後で、画像領域における各単色領域の色値を取得する必要がある。例えば、スマートデバイスによって取得された画像領域Ａが４つの隣接する単色領域を含み、第１の単色領域の色値がＲＧＢ（２５５,０,０）であり、第２の単色領域の色値がＲＧＢ（２４０,０,０）であり、第３の単色領域の色値がＲＧＢ（２３０,０,０）であり、第４の単色領域の色値がＲＧＢ（２２０,０,０）であるとすれば、スマートデバイスがこれら４つの単色領域の色値をそれぞれ取得する必要がある。これら４つの単色領域の色値は、それぞれＲＧＢ（２５５,０,０）、ＲＧＢ（２４０,０,０）、ＲＧＢ（２３０,０,０）とＲＧＢ（２２０,０,０）である。
【００３１】
ステップＳ１３では、画像領域における隣接する単色領域の色値の差が閾値よりも小さいとき、所定の条件に基づいて画像領域における単色領域の色値を利用して目標色値を特定する。
【００３２】
ただし、閾値は、予め設定された色値である。例えば、予め閾値をＲＧＢ（２０,２０,２０）に設定してもよい。
【００３３】
スマートデバイスは、指定ピクチャにおける少なくとも３つの隣接する単色領域からなる画像領域を特定した後で、画像領域における隣接する単色領域の色値の差が閾値よりも小さいかどうかを特定する必要がある。画像領域における隣接する単色領域の色値の差が閾値よりも小さいとスマートデバイスによって特定されたとき、画像領域における隣接する単色領域の色値が近いことを意味し、性能の高くない一部のソフトスクリーン上に指定ピクチャを表示する際に、指定ピクチャの画像領域における幾つかの単色領域を同一の色として表示する可能性があり、画像領域の色移行のスムーズさが足りなく、色のジャンプの現象が出現する。
【００３４】
そこで、スマートデバイスは、画像領域における隣接する単色領域の色値の差が閾値よりも小さいと特定したとき、所定の条件に基づいて画像領域における各単色領域の色値を利用して目標色値を特定する必要があり、画像領域における各単色領域が何れも目標色値を採用することを保証し、画像領域に色のジャンプの現象が出現することを回避する。
【００３５】
例えば、閾値をＲＧＢ（２０,２０,２０）に予め設定し、スマートデバイスが指定ピクチャにおける６つの隣接する単色領域からなる画像領域Ａを特定したとする。その中、第１の単色領域Ａ１の色値がＲＧＢ（２５０,０,０）であり、第２の単色領域Ａ２の色値がＲＧＢ（２４０,０,０）であり、第３の単色領域Ａ３の色値がＲＧＢ（２３０,０,０）であり、第４の単色領域Ａ４の色値がＲＧＢ（２２０,０,０）であり、第５の単色領域Ａ５の色値がＲＧＢ（２１０,０,０）であり、第６の単色領域Ａ６の色値がＲＧＢ（２００,０,０）である。そして、第１の単色領域Ａ１、第２の単色領域Ａ２、第３の単色領域Ａ３、第４の単色領域Ａ４、第５の単色領域Ａ５と第６の単色領域Ａ６は、順に連通している。その際、スマートデバイスは、画像領域における隣接する単色領域の色値の差が閾値ＲＧＢ（２０,２０,２０）よりも小さいかどうかを算出し、そして、計算によって、指定ピクチャの画像領域Ａにおける隣接する単色領域の色値の差分が何れもＲＧＢ（１０,０,０）に等しいことが分かるため、色値の差分ＲＧＢ（１０,０,０）が何れも閾値ＲＧＢ（２０,２０,２０）よりも小さい。それは、画像領域における隣接する単色領域の色値が近いことを意味し、性能の高くない一部のソフトスクリーン上に指定ピクチャを表示する際に、指定ピクチャの画像領域における幾つかの単色領域を同一の色として表示する可能性があり、画像領域の色移行のスムーズさが足りなく、色のジャンプの現象が出現するため、スマートデバイスが所定の条件に基づいて画像領域における各単色領域の色値を利用して目標色値を特定する必要があり、画像領域における各単色領域がいずれも目標色値を採用することを保証し、画像領域に色のジャンプの現象が出現することを回避する。
【００３６】
また、所定の条件に基づいて画像領域における各単色領域の色値を利用して目標色値を特定する方式は、複数の種類を有する。以下に、２つの実現方式を説明する。
【００３７】
第１の実現方式は、所定条件として、画像領域における各単色領域の色値の平均値を先に算出し、当該平均値を目標色値として特定する。
【００３８】
第１の実現方式をより明確に説明するために、以下は、第１の実現方式の手順を簡単に説明する。
【００３９】
第１？、画像領域における各単色領域の色値の平均値を算出する。
【００４０】
第２？、平均値を目標色値として特定する。
【００４１】
例えば、スマートデバイスが指定ピクチャにおける６つの隣接する単色領域からなる画像領域Ａを特定したと仮定する。その中、第１の単色領域Ａ１の色値がＲＧＢ（２５０,０,０）であり、第２の単色領域Ａ２の色値がＲＧＢ（２４０,０,０）であり、第３の単色領域Ａ３の色値がＲＧＢ（２３０,０,０）であり、第４の単色領域Ａ４の色値がＲＧＢ（２２０,０,０）であり、第５の単色領域Ａ５の色値がＲＧＢ（２１０,０,０）であり、第６の単色領域Ａ６の色値がＲＧＢ（２００,０,０）である。その際、スマートデバイスは、画像領域Ａにおける６つの隣接する単色領域の色値の平均値を算出し始め、当該平均値は、[ＲＧＢ（２５０,０,０）+（２４０,０,０）+ ＲＧＢ（２３０,０,０）+ ＲＧＢ（２２０,０,０）+ ＲＧＢ（２１０,０,０）+ ＲＧＢ（２００,０,０）]/６= ＲＧＢ（２２５,０,０）となる。最終的に、スマートデバイスは、色値の平均値ＲＧＢ（２２５,０,０）を目標色値として特定する。
【００４２】
第２の実現方式は、所定の条件として、画像領域における最大色値、最小色値および所定の係数を利用して目標色値を取得する。
【００４３】
第２の実現方式をより明確に説明するために、第２の実現方式の手順を簡単に説明する。
【００４４】
第１？、画像領域における最大色値と最小色値を取得する。
【００４５】
第２？、画像領域における最大色値と最小色値との差分を算出して第１の色値を取得する。
【００４６】
第３？、第１の色値と所定の係数との積を算出して第２の色値を取得する。
【００４７】
第４？、最小色値と第２の色値との和を算出して目標色値を取得する。
【００４８】
例えば、所定の係数が０.６であり、スマートデバイスが指定ピクチャにおける６つの隣接する単色領域からなる画像領域Ａを特定したと仮定する。その中、第１の単色領域Ａ１の色値がＲＧＢ（２５０,０,０）であり、第２の単色領域Ａ２の色値がＲＧＢ（２４０,０,０）であり、第３の単色領域Ａ３の色値がＲＧＢ（２３０,０,０）であり、第４の単色領域Ａ４の色値がＲＧＢ（２２０,０,０）であり、第５の単色領域Ａ５の色値がＲＧＢ（２１０,０,０）であり、第６の単色領域Ａ６の色値がＲＧＢ（２００,０,０）である。その際、スマートデバイスは、画像領域における最大色値ＲＧＢ（２５０,０,０）および最小色値ＲＧＢ（２００,０,０）を取得し始め、それから、画像領域における最大色値ＲＧＢ（２５０,０,０）と最小色値ＲＧＢ（２００,０,０）との差を算出して第１の色値を取得し、第１の色値がＲＧＢ（２５０,０,０）-ＲＧＢ（２００,０,０）= ＲＧＢ（５０,０,０）となる。次に、第１の色値ＲＧＢ（５０,０,０）と所定の係数０.６のとの積を算出して第２の色値を取得し、第２の色値がＲＧＢ（５０,０,０）×０.６= ＲＧＢ（３０,０,０）となる。さらに、最小色値ＲＧＢ（２００,０,０）と第２の色値ＲＧＢ（３０,０,０）との和を算出して目標色値を取得し、目標色値がＲＧＢ（２００,０,０）＋ＲＧＢ（３０,０,０）= ＲＧＢ（２３０,０,０）となる。
【００４９】
ステップＳ１４では、指定ピクチャにおける画像領域の色値を目標色値に変換して目標ピクチャを生成する。
【００５０】
その中、スマートデバイスが所定の条件に基づいて画像領域における単色領域の色値を利用して目標色値を特定した後で、スマートデバイスが指定ピクチャにおける画像領域の色値を目標色値に変換して目標ピクチャを生成する必要はある。その際、目標ピクチャと指定ピクチャとの区別は、目標ピクチャの画像領域の色が目標色値であることにあり、目標ピクチャの他の部分が指定ピクチャと同様である。
【００５１】
ステップＳ１５では、目標ピクチャを表示する。
【００５２】
その中、スマートデバイスは、表示スクリーンを利用して目標ピクチャを表示する。スマートデバイスの表示スクリーンが性能の高くないソフトスクリーンであっても、目標ピクチャを表示する際に色のジャンプが著しい状況が現われない。
【００５３】
図１に示す実施例では、指定ピクチャを表示する前に、指定ピクチャにおける少なくとも３つの単色領域からなる画像領域を先に特定する必要があり、画像領域における隣接する単色領域の色値の差が閾値よりも小さいと特定されたとき、画像領域における隣接する単色領域の色が近いことを意味し、性能の高くないソフトスクリーンが指定ピクチャにおける画像領域の各単色領域を表示する際に現れる色のジャンプを回避するために、所定の条件に基づいて画像領域における各単色領域の色値を利用して目標色値を特定し、当該画像領域の色値が目標色値である目標ピクチャを生成し、当該目標ピクチャを表示することで、目標ピクチャを表示する際に色のジャンプが出現しないようにする。
【００５４】
図２は、一実施例による別のピクチャ表示方法を示すフローチャートであり、図２に示すように、図２に示すピクチャ表示方法は、スマートデバイスに適用可能である。図２は、図１に基づく好ましい実施例であり、図２に示す実施例において、図１に示す実施例と同様な部分は、図１に示す実施例における説明および解釈を参照すればよい。図２に示す方法は、以下のステップを含む。
【００５５】
ステップＳ２１では、指定ピクチャを表示する旨の指令が受信されると、指定ピクチャを取得する。
【００５６】
ステップＳ２２では、指定ピクチャにおける少なくとも３つの隣接する単色領域からなる画像領域を特定する。
【００５７】
ステップＳ２３では、画像領域における隣接する単色領域の色値の差が閾値よりも小さいとき、所定の条件に基づいて画像領域における単色領域の色値を利用して目標色値を特定する。
【００５８】
ステップＳ２４では、指定ピクチャにおける画像領域の色値を目標色値に変換して目標ピクチャを生成する。
【００５９】
ステップＳ２５では、目標ピクチャを表示する。
【００６０】
ステップＳ２６では、目標ピクチャを記憶する。
【００６１】
その中、スマートデバイスは、表示スクリーンを利用して目標ピクチャを表示した後で、目標ピクチャをハードディスクに記憶することで、指定ピクチャを表示する旨の指令の受信時、上述したステップを繰り返さなくても、スマートデバイスが目標ピクチャを素早く特定することができる。
【００６２】
ステップＳ２７では、指定ピクチャと目標ピクチャとの対応関係を確立する。
【００６３】
その中、スマートデバイスが目標ピクチャを記憶した後で、指定ピクチャと目標ピクチャとの対応関係を確立する必要がある。これにより、スマートデバイスは、指定ピクチャを表示する旨の指令を受信したとき、指定ピクチャと目標ピクチャとの対応関係に基づいてスマートデバイスのハードディスクから指定ピクチャに対応する目標ピクチャを迅速に見つけ出し、表示することができるため、時間の節約ができる。
【００６４】
ステップＳ２８では、指定ピクチャを表示する旨の指令が受信されると、指定ピクチャと目標ピクチャとの対応関係を利用して指定ピクチャに対応する目標ピクチャを特定する。
【００６５】
ステップＳ２９では、目標ピクチャを表示する。
【００６６】
図３は、一実施例によるさらに別のピクチャ表示方法を示すフローチャートであり、図３に示すように、図３に示すピクチャ表示方法は、スマートデバイスに適用可能である。図３は、図１に基づく好ましい実施例であり、図３に示す実施例において、図１に示す実施例と同様な部分は、図１に示す実施例における説明および解釈を参照すればよい。図３に示す方法は、以下のステップを含む。
【００６７】
ステップＳ３１では、指定ピクチャを表示する旨の指令が受信されると、指定ピクチャを取得する。
【００６８】
ステップＳ３２では、指定ピクチャにおける少なくとも３つの隣接する単色領域からなる画像領域を特定する。
【００６９】
ステップＳ３３では、画像領域における隣接する単色領域の色値の差が閾値よりも小さいとき、所定の条件に基づいて画像領域における単色領域の色値を利用して目標色値を特定する。
【００７０】
ステップＳ３４では、指定ピクチャにおける画像領域の色値を目標色値に変換して目標ピクチャを生成する。
【００７１】
ステップＳ３５では、目標ピクチャを表示する。
【００７２】
ステップＳ３６では、目標ピクチャを記憶する。
【００７３】
その中、スマートデバイスは、表示スクリーンを利用して目標ピクチャを表示した後で、目標ピクチャをハードディスクに記憶することができるため、指定ピクチャを表示する旨の指令が受信されたとき、上述したステップを繰り返さなくても、スマートデバイスは、目標ピクチャを迅速に特定することができる。
【００７４】
ステップＳ３７では、指定ピクチャと目標ピクチャとの対応関係を確立する。
【００７５】
その中、スマートデバイスが目標ピクチャを記憶した後で、指定ピクチャと目標ピクチャとの対応関係を確立する必要がある。これにより、スマートデバイスは、指定ピクチャを削除する旨の指令を受信したとき、指定ピクチャと目標ピクチャとの対応関係に基づいてスマートデバイスのハードディスクから指定ピクチャに対応する目標ピクチャを迅速に見つけ出すことができるため、時間の節約ができる。
【００７６】
ステップＳ３８では、指定ピクチャを削除する旨の指令が受信されると、指定ピクチャと目標ピクチャとの対応関係を利用して指定ピクチャに対応する目標ピクチャを特定する。
【００７７】
その中、スマートデバイスが指定ピクチャを削除する旨の指令を受信したとは、ユーザにとって指定ピクチャおよび目標ピクチャが必要ないことを意味する。したがって、スマートデバイスは、指定ピクチャと目標ピクチャとの対応関係を利用して予め記憶された指定ピクチャに対応する目標ピクチャを特定することができる。
【００７８】
ステップＳ３９では、指定ピクチャおよび目標ピクチャを削除する。
【００７９】
その中、スマートデバイスは、指定ピクチャに対応する目標ピクチャを特定した後で、指定ピクチャおよび目標ピクチャを削除することができる。
【００８０】
図４は、一実施例によるさらに別のピクチャ表示方法を示すフローチャートであり、図４に示すように、図４に示すピクチャ表示方法は、スマートデバイスに適用可能である。図４は、図１に基づく好ましい実施例であり、図４に示す実施例において、図１に示す実施例と同様な部分は、図１に示す実施例における説明および解釈を参照すればよい。図４に示す方法は、以下のステップを含む。
【００８１】
ステップＳ４１では、指定ピクチャを表示する旨の指令が受信されると、指定ピクチャを取得する。
【００８２】
ステップＳ４２では、指定ピクチャを表示する表示機器の種別を特定する。
【００８３】
その中、表示性能の高くないソフトスクリーンがあるため、ソフトスクリーンを利用してピクチャを表示する際に、ピクチャにおける近い色を同一の色として表示する可能性があり、ピクチャにおける近い色の部分が非常に唐突に見える。しかし、ハードスクリーンにとって、その現象が存在しない。したがって、スマートデバイスは、指定ピクチャを取得したとき、まず指定ピクチャを表示する表示機器の種別を特定する。
【００８４】
ステップＳ４３では、指定ピクチャを表示する表示機器がソフトスクリーンであるかどうかを判断し、指定ピクチャを表示する表示機器がソフトスクリーンである場合、ステップＳ４５を実行する。一方、指定ピクチャを表示する表示機器がソフトスクリーンでない場合、ステップＳ４４を実行する。
【００８５】
その中、指定ピクチャを表示する表示機器がソフトスクリーンであるとスマートデバイスによって判断されたときは、ソフトスクリーンが指定ピクチャを表示する際に、ピクチャにおける近い色を同一の色として表示する可能性があることを意味する。これにより、ピクチャにおける近い色の部分が非常に唐突に見えるため、ステップＳ４５を実行して当該状況の発生を回避する必要がある。指定ピクチャを表示する表示機器がソフトスクリーンでないとスマートデバイスによって判断されたときは、当該表示機器が指定ピクチャを表示する際にピクチャにおける近い色を同一の色として表示することがないことを意味する。したがって、ステップＳ４４を実行して、直接指定ピクチャを表示機器に表示させることができる。
【００８６】
ステップＳ４４では、表示機器を利用して指定ピクチャを表示する。
【００８７】
ステップＳ４５では、指定ピクチャにおける少なくとも３つの隣接する単色領域からなる画像領域を特定する。
【００８８】
ステップＳ４６では、画像領域における隣接する単色領域の色値の差が閾値よりも小さいとき、所定の条件に基づいて画像領域における単色領域の色値を利用して目標色値を特定する。
【００８９】
ステップＳ４７では、指定ピクチャにおける画像領域の色値を目標色値に変換して目標ピクチャを生成する。
【００９０】
ステップＳ４８では、目標ピクチャを表示する。
【００９１】
図５は、一実施例によるピクチャ表示装置を示す模式図である。本発明が提供するピクチャ表示装置は、性能の高くないソフトスクリーンがピクチャにおける近い色の領域を表示する際に色のジャンプが現われないようにすることができる。図５を参照すると、当該装置は、取得モジュール１１と、第１の特定モジュール１２と、第２の特定モジュール１３と、変換モジュール１４と第１の表示モジュール１５とを備える。
【００９２】
取得モジュール１１は、指定ピクチャを表示する旨の指令が受信されると、指定ピクチャを取得する。
【００９３】
第１の特定モジュール１２は、指定ピクチャにおける少なくとも３つの隣接する単色領域からなる画像領域を特定する。
【００９４】
第２の特定モジュール１３は、画像領域における隣接する単色領域の色値の差が閾値よりも小さいとき、所定の条件に基づいて画像領域における単色領域の色値を利用して目標色値を特定する。
【００９５】
変換モジュール１４は、指定ピクチャにおける画像領域の色値を目標色値に変換して目標ピクチャを生成する。
【００９６】
第１の表示モジュール１５は、目標ピクチャを表示する。
【００９７】
図６は、一実施例による別のピクチャ表示装置を示す模式図である。本発明が提供するピクチャ表示装置は、性能の高くないソフトスクリーンがピクチャにおける近い色の領域を表示する際に色のジャンプが現われないようにすることができる。図６を参照すると、当該装置は、取得モジュール２１と、第１の特定モジュール２２と、第２の特定モジュール２３と、変換モジュール２４と、第１の表示モジュール２５と、第１の記憶モジュール２６と、第１の確立モジュール２７と、第３の特定モジュール２８と第２の表示モジュール２９とを備える。
【００９８】
取得モジュール２１は、指定ピクチャを表示する旨の指令が受信されると、指定ピクチャを取得する。
【００９９】
第１の特定モジュール２２は、指定ピクチャにおける少なくとも３つの隣接する単色領域からなる画像領域を特定する。
【０１００】
第２の特定モジュール２３は、画像領域における隣接する単色領域の色値の差が閾値よりも小さいとき、所定の条件に基づいて画像領域における単色領域の色値を利用して目標色値を特定する。
【０１０１】
変換モジュール２４は、指定ピクチャにおける画像領域の色値を目標色値に変換して目標ピクチャを生成する。
【０１０２】
第１の表示モジュール２５は、目標ピクチャを表示する。
【０１０３】
第１の記憶モジュール２６は、目標ピクチャを記憶する。
【０１０４】
第１の確立モジュール２７は、指定ピクチャと目標ピクチャとの対応関係を確立する。
【０１０５】
第３の特定モジュール２８は、指定ピクチャを表示する旨の指令が受信されると、指定ピクチャと目標ピクチャとの対応関係を利用して指定ピクチャに対応する目標ピクチャを特定する。
【０１０６】
第２の表示モジュール２９は、目標ピクチャを表示する。
【０１０７】
図７は、一実施例によるさらに別のピクチャ表示装置を示す模式図である。本発明が提供するピクチャ表示装置は、性能の高くないソフトスクリーンが表示ピクチャにおける近い色の領域を表示する際に色のジャンプが現われないようにすることができる。図７を参照すると、当該装置は、取得モジュール３１と、第１の特定モジュール３２と、第２の特定モジュール３３と、変換モジュール３４と、第１の表示モジュール３５と、第２の記憶モジュール３６と、第２の確立モジュール３７と、第４の特定モジュール３８と削除モジュール３９とを備える。
【０１０８】
取得モジュール３１は、指定ピクチャを表示する旨の指令が受信されると、指定ピクチャを取得する。
【０１０９】
第１の特定モジュール３２は、指定ピクチャにおける少なくとも３つの隣接する単色領域からなる画像領域を特定する。
【０１１０】
第２の特定モジュール３３は、画像領域における隣接する単色領域の色値の差が閾値よりも小さいとき、所定の条件に基づいて画像領域における単色領域の色値を利用して目標色値を特定する。
【０１１１】
変換モジュール３４は、指定ピクチャにおける画像領域の色値を目標色値に変換して目標ピクチャを生成する。
【０１１２】
第１の表示モジュール３５は、目標ピクチャを表示する。
【０１１３】
第２の記憶モジュール３６は、目標ピクチャを記憶する。
【０１１４】
第２の確立モジュール３７は、指定ピクチャと目標ピクチャとの対応関係を確立する。
【０１１５】
第４の特定モジュール３８は、指定ピクチャを削除する旨の指令が受信されると、指定ピクチャと目標ピクチャとの対応関係を利用して指定ピクチャに対応する目標ピクチャを特定する。
【０１１６】
削除モジュール３９は、指定ピクチャおよび目標ピクチャを削除する。
【０１１７】
図８は、一実施例によるさらに別のピクチャ表示装置を示す模式図である。本発明が提供するピクチャ表示装置は、性能の高くないソフトスクリーンがピクチャにおける近い色の領域を表示する際に色のジャンプが現われないようにすることができる。図８を参照すると、当該装置は、取得モジュール４１と、第１の特定モジュール４２と、第２の特定モジュール４３と、変換モジュール４４と、第１の表示モジュール４５と、第５の特定モジュール４６と、判断モジュール４７と、トリガモジュール４８と第３の表示モジュール４９とを備える。
【０１１８】
取得モジュール４１は、指定ピクチャを表示する旨の指令が受信されると、指定ピクチャを取得する。
【０１１９】
第１の特定モジュール４２は、指定ピクチャにおける少なくとも３つの隣接する単色領域からなる画像領域を特定する。
【０１２０】
第２の特定モジュール４３は、画像領域における隣接する単色領域の色値の差が閾値よりも小さいとき、所定の条件に基づいて画像領域における単色領域の色値を利用して目標色値を特定する。
【０１２１】
変換モジュール４４は、指定ピクチャにおける画像領域の色値を目標色値に変換して目標ピクチャを生成する。
【０１２２】
第１の表示モジュール４５は、目標ピクチャを表示する。
【０１２３】
第５の特定モジュール４６は、指定ピクチャを表示する表示機器の種別を特定する。
【０１２４】
判断モジュール４７は、指定ピクチャを表示する表示機器がソフトスクリーンであるかどうかを判断する。
【０１２５】
トリガモジュール４８は、指定ピクチャを表示する表示機器がソフトスクリーンである場合、第１の特定モジュール４２をトリガする。
【０１２６】
第３の表示モジュール４９は、指定ピクチャを表示する表示機器がソフトスクリーンでない場合、表示機器を利用して指定ピクチャを表示する。
【０１２７】
図９は、一実施例によるさらに別のピクチャ表示装置を示す模式図である。本発明が提供するピクチャ表示装置は、性能の高くないソフトスクリーンがピクチャにおける近い色の領域を表示する際に色のジャンプが現われないようにすることができる。図９を参照すると、当該装置は、取得モジュール５１と、第１の特定モジュール５２と、第２の特定モジュール５３と、変換モジュール５４と第１の表示モジュール５５とを備え、第２の特定モジュール５３は、第１の算出サブモジュール５２１と特定サブモジュール５２２とを備える。
【０１２８】
取得モジュール５１は、指定ピクチャを表示する旨の指令が受信されると、指定ピクチャを取得する。
【０１２９】
第１の特定モジュール５２は、指定ピクチャにおける少なくとも３つの隣接する単色領域からなる画像領域を特定する。
【０１３０】
第２の特定モジュール５３は、画像領域における隣接する単色領域の色値の差が閾値よりも小さいとき、所定の条件に基づいて画像領域における単色領域の色値を利用して目標色値を特定する。
【０１３１】
変換モジュール５４は、指定ピクチャにおける画像領域の色値を目標色値に変換して目標ピクチャを生成する。
【０１３２】
第１の表示モジュール５５は、目標ピクチャを表示する。
【０１３３】
第１の算出サブモジュール５２１は、画像領域における各単色領域の色値の平均値を算出する。
【０１３４】
特定サブモジュール５２２は、平均値を目標色値として特定する。
【０１３５】
図１０は、一実施例によるさらに別のピクチャ表示装置を示す模式図である。本発明が提供するピクチャ表示装置は、性能の高くないソフトスクリーンがピクチャにおける近い色の領域を表示する際に色のジャンプが現われないようにすることができる。図１０を参照すると、当該装置は、取得モジュール６１と、第１の特定モジュール６２と、第２の特定モジュール６３と、変換モジュール６４と第１の表示モジュール６５とを備え、第２の特定モジュール６３は、取得サブモジュール６２１と、第２の算出サブモジュール６２２と、第３の算出サブモジュール６２３と第４の算出サブモジュール６２４とを備える。
【０１３６】
取得モジュール６１は、指定ピクチャを表示する旨の指令が受信されると、指定ピクチャを取得する。
【０１３７】
第１の特定モジュール６２は、指定ピクチャにおける少なくとも３つの隣接する単色領域からなる画像領域を特定する。
【０１３８】
第２の特定モジュール６３は、画像領域における隣接する単色領域の色値の差が閾値よりも小さいとき、所定の条件に基づいて画像領域における単色領域の色値を利用して目標色値を特定する。
【０１３９】
変換モジュール６４は、指定ピクチャにおける画像領域の色値を目標色値に変換して目標ピクチャを生成する。
【０１４０】
第１の表示モジュール６５は、目標ピクチャを表示する。
【０１４１】
取得サブモジュール６２１は、画像領域における最大色値と最小色値を取得する。
【０１４２】
第２の算出サブモジュール６２２は、画像領域における最大色値と最小色値との差分を算出して第１の色値を取得する。
【０１４３】
第３の算出サブモジュール６２３は、第１の色値と所定の係数との積を算出して第２の色値を取得する。
【０１４４】
第４の算出サブモジュール６２４は、最小色値と第２の色値との和を算出して目標色値を取得する。
【０１４５】
上記実施例による装置については、各モジュールが操作を実行する具体的な方式が当該方法に関する実施例において詳細に記述されたため、ここで詳細に説明しない。
【０１４６】
図１１は、一実施例によるピクチャ表示装置８００のブロック図である。例えば、装置８００は、携帯電話、コンピュータ、デジタル放送端末、メッセージ送受信機器、ゲームコンソール、タブレットデバイス、医療設備、フィットネス機器、ＰＤＡなどであってもよい。
【０１４７】
図１１を参照し、装置８００は、処理ユニット８０２、メモリ８０４、電源ユニット８０６、マルチメディアユニット８０８、オーディオユニット８１０、入力/出力（Ｉ／Ｏ）インターフェース８１２、センサユニット８１４、および、通信ユニット８１６のうちの１つまたは複数を含んでもよい。
【０１４８】
処理ユニット８０２は、通常は、表示、電話発呼、データ通信、カメラ操作および記録操作に関連する操作のような、装置８００の全般操作を制御する。処理ユニット８０２は、上記方法の全部または一部のステップを実行させるように、指令を実行するための１つまたは複数のプロセッサ８２０を含んでもよい。また、処理ユニット８０２は、処理ユニット８０２と他のユニットとの間の相互交流を容易にするように、１つ又は複数のモジュールを含んでもよい。例えば、処理ユニット８０２は、マルチメディアユニット８０８と処理ユニット８０２との間の相互交流を容易にするように、マルチメディアモジュールを含んでもよい。
【０１４９】
メモリ８０４は、各タイプのデータを記憶して装置８００での操作をサポートするように構成される。これらのデータの例示は、装置８００で操作するための任意のアプリケーションもしくは方法の指令、連絡人データ、電話帳データ、メッセージ、ピクチャ、ビデオなどを含む。メモリ８０４は、如何なる種別の揮発性もしくは不揮発性記憶装置またはそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１５０】
電源ユニット８０６は、装置８００の各ユニットのそれぞれに電力を供給する。電源ユニット８０６は、電源管理システム、１つまたは複数の電源、並びに、装置８００用の電力を生成、管理および配分することに関する他のユニットを含んでもよい。
【０１５１】
マルチメディアユニット８０８は、前記装置８００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット８０８は、１つのフロントカメラおよび/またはバックカメラを含む。装置８００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１５２】
オーディオユニット８１０は、オーディオ信号を出力および/または入力するように構成される。例えば、オーディオユニット８１０は、マイク（ＭＩＣ）を備え、装置８００が操作モード、例えば、発呼モード、記録モードおよび音声識別モードであるとき、マイクは、外部オーディオ信号を受信するように構成される。受信されたオーディオ信号は、さらに、メモリ８０４に格納される、または、通信ユニット８１６を介して送信されることができる。一部の実施例では、オーディオユニット８１０は、オーディオ信号を出力するためのスピーカをさらに含む。
【０１５３】
Ｉ/Ｏインターフェース８１２は、処理ユニット８０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１５４】
センサユニット８１４は、いろんな方面での状態推定を装置８００に供給するための１つまたは複数のセンサを含む。例えば、センサユニット８１４は、装置８００のオン/オフ状態、ユニットの相対位置を検出することができ、前記ユニットは、例えば、装置８００のディスプレイおよびテンキーである。センサユニット８１４は、さらに、装置８００もしくは装置８００の１つのユニットの位置変更、ユーザと装置８００との接触の有無、装置８００の方位もしくは加速/減速および装置８００の温度変化をさらに検出することができる。センサユニット８１４は、如何なる物理的接触もないとき、近辺にある物体の存在を検出するための近接センサを含んでもよい。センサユニット８１４は、さらに、イメージングアプリケーションに使用される光センサ、例えばＣＭＯＳまたはＣＣＤ画像センサを含んでもよい。一部の実施例では、当該センサユニット８１４は、さらに、加速度センサ、ジャイロセンサ、磁気センサ、圧力センサまたは温度センサを含んでもよい。
【０１５５】
通信ユニット８１６は、装置８００と他の機器間の無線または有線方式の通信ができるように構成される。装置８００は、通信規格に基づく無線ネットワーク、例えば、ＷｉＦｉ、２Ｇもしくは３Ｇ、またはそれらの組合せにアクセスすることができる。ある実施例では、通信ユニット８１６は、外部ブロードキャスト管理システムからのブロードキャスト信号またはブロードキャスト関連情報をブロードキャストチャネルを介して受信する。ある実施例では、前記通信ユニット８１６は、さらに、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現することができる。
【０１５６】
実施例では、装置８００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１５７】
実施例では、指令を含む非一時的コンピュータ読み取り可能な記憶媒体、例えば、指令を含むメモリ８０４をさらに提供し、上記指令が装置８００のプロセッサ８２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フレキシブルディスクおよび光データ記憶機器などであってもよい。
【０１５８】
非一時的コンピュータ読み取り可能な記憶媒体を提供し、前記記憶媒体における指令が移動端末のプロセッサに実行されるとき、移動端末がピクチャ表示方法を実行可能であり、前記方法は、指定ピクチャを表示する旨の指令が受信されると、前記指定ピクチャを取得するステップと、前記指定ピクチャにおける少なくとも３つの隣接する単色領域からなる画像領域を特定するステップと、前記画像領域における隣接する単色領域の色値の差が閾値よりも小さいとき、所定の条件に基づいて前記画像領域における単色領域の色値を利用して目標色値を特定するステップと、前記指定ピクチャにおける前記画像領域の色値を前記目標色値に変換して目標ピクチャを生成するステップと、前記目標ピクチャを表示するステップとを含む。
【０１５９】
当業者は明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１６０】
本発明が上述した図面に示された正確な構造に限定されるものでなく、その要旨を逸脱しない範囲で様々な補正や変更も可能であることは理解されるべきである。本発明の範囲は、添付する特許請求の範囲のみによって限定される。
【０１６１】
本出願は、出願番号が２０１５１０４２４３８７．８であり、出願日が２０１５年７月１７日である中国特許出願を優先権主張の基礎として出願するものであり、ここに、当該中国特許出願の全部内容は、参照として本出願に引用される。
【図１】
0006461107.tif 000002
【図２】
0006461107.tif 000003
【図３】
0006461107.tif 000004
【図４】
0006461107.tif 000005
【図５】
0006461107.tif 000006
【図６】
0006461107.tif 000007
【図７】
0006461107.tif 000008
【図８】
0006461107.tif 000009
【図９】
0006461107.tif 000010
【図１０】
0006461107.tif 000011
【図１１】
0006461107.tif 000012